(57)【要約】【課題】犬種又は犬の体格に基づく体温補正指数を用いて代謝量を補正して算出し、犬の健康管理を行う犬用健康管理装置を提供することを目的とする。【解決手段】犬の除脂肪データを入力する除脂肪データ入力手段と、犬の体温に関するデータを入力する体温関連データ入力手段と、前記体温に関するデータに基づく体温補正指数を導出する体温補正指数導出手段と、前記除脂肪データと前記体温補正指数とから犬の代謝量を算出する代謝量算出手段とを有することから、犬の個体別の代謝量を算出することができる。【選択図】        図１
2005000074.tif 000002
【特許請求の範囲】
【請求項１】
犬の除脂肪データを入力する除脂肪データ入力手段と、
犬の体温に関するデータを入力する体温関連データ入力手段と、
前記体温に関するデータに基づく体温補正指数を導出する体温補正指数導出手段と、
前記除脂肪データと前記体温補正指数とから犬の代謝量を算出する代謝量算出手段とを有することを特徴とする犬用健康管理装置。
【請求項２】
前記除脂肪データは除脂肪量又は筋肉量であることを特徴とする請求項１記載の犬用健康管理装置。
【請求項３】
前記除脂肪データは体重値及び体脂肪データから導出されることを特徴とする請求項１記載の犬用健康管理装置。
【請求項４】
前記体温に関するデータは、犬種であることを特徴とする請求項１記載の犬用健康管理装置。
【請求項５】
前記体温に関するデータは、犬の体格であることを特徴とする請求項１記載の犬用健康管理装置。
【請求項６】
前記犬の体格は、体重値から推定される体格指数であることを特徴とする請求項５記載の犬用健康管理装置。
【請求項７】
前記代謝量算出手段は、犬の体毛データを入力する体毛データ入力手段を更に有し、前記体毛データを加味して犬の代謝量を算出することを特徴とする請求項５記載の犬用健康管理装置。
【請求項８】
前記代謝量算出手段は、犬の年齢を入力する年齢入力手段を更に有し、前記年齢を加味して犬の代謝量を算出することを特徴とする請求項１記載の犬用健康管理装置。
【請求項９】
前記代謝量算出手段は、犬の体脂肪率を入力し、前記体脂肪率に基づいた保温効果指数を導出する保温効果指数導出手段を更に有し、前記保温効果指数を加味して犬の代謝量を算出することを特徴とする請求項１記載の犬用健康管理装置。
【請求項１０】
前記代謝量算出手段は、基礎代謝量と安静時代謝量との内、少なくとも一方を算出することを特徴とする請求項１記載の犬用健康管理装置。
【請求項１１】
前記代謝量算出手段は、犬の活動データを入力する活動データ入力手段を備え、前記代謝量と前記活動データとから犬の総消費エネルギー量を算出する総消費エネルギー量算出手段を更に有することを特徴とする請求項１記載の犬用健康管理装置。
【請求項１２】
前記活動データは、犬の日常動作を複数段階に分別した活動指数であることを特徴とする請求項１１記載の犬用健康管理装置。
【請求項１３】
前記活動データは歩数計や加速度計等の運動モニタリング装置を用いて測定した運動データであることを特徴とする請求項１１記載の犬用健康管理装置。
【請求項１４】
前記総消費エネルギー量算出手段は、犬の肥満度に関するデータを入力する肥満関連データ入力手段と、減量目標値を設定する減量目標値設定手段とを更に備え、前記総消費エネルギー量、肥満度に関するデータ及び減量目標値とに基づいて、前記減量目標値に対する適正摂取エネルギー量又は適正消費エネルギー量の内少なくとも一方を算出する適正値算出手段を更に有することを特徴とする請求項１１記載の犬用健康管理装置。
【請求項１５】
前記肥満度に関するデータは、犬の体重値及び体脂肪データであることを特徴とする請求項１４記載の犬用健康管理装置。
【請求項１６】
前記体脂肪データは、犬のインピーダンス値、ボディーコンディションスコア又は形態計測値の内、少なくとも１つを用いて算出される体脂肪量又は体脂肪率であることを特徴とする請求項３又は１５記載の犬用健康管理装置。
【請求項１７】
前記減量目標値は、肥満度の一般的な標準値を自動で目標値として設定することを特徴とする請求項１４記載の犬用健康管理装置。
【請求項１８】
前記減量目標値は測定者が手動で数値入力して設定することを特徴とする請求項１４記載の犬用健康管理装置。
【請求項１９】
前記総消費エネルギー量算出手段は、環境温度を入力する環境温度入力手段を更に有し、前記環境温度を加味して総消費エネルギー量を算出することを特徴とする請求項１１記載の犬用健康管理装置。
【請求項２０】
前記環境温度は、季節や月毎に予め設定されており、自動で入力されることを特徴とする請求項１９記載の犬用健康管理装置。
【発明の詳細な説明】
【０００１】
【発明の属する技術分野】
本発明は、犬の健康管理を行う犬用健康管理装置に関する。
【０００２】
【従来の技術】
動物の安静時又は基礎代謝量は体温によって変化することが知られている。人間の場合、除脂肪量を用いた代謝量の算出において体温を補正項とする技術が開示されている（例えば非特許文献１参照）。
【０００３】
【非特許文献１】
吉川春寿著，「栄養生理・生化学」，株式会社光生館，１９８７年２月２５日，ｐ．１６
【発明が解決しようとする課題】
しかしながら動物、特に犬の場合、体温は体格に影響を受け、更に多種類に渡ることから体温の幅が大きい。従来の体温を補正項として人間の代謝量を算出する場合と同様に、除脂肪量と体温を用いて犬の代謝量を算出することは可能であるが、犬の場合体温測定は主に直腸温による測定であるため手間がかかり、手軽に測定できるものではなかった。
【０００４】
また個体別に消費及び摂取エネルギー量を算出するものがなかったため、食餌量の適正値も分からないままで餌を与えてしまうため、与え過ぎや不十分な食餌をさせてしまい、肥満を含め十分な体調管理ができていない場合が多かった。
【０００５】
本発明は上述の従来技術の問題点を解決し、犬種又は犬の体格に基づく体温補正指数を用いて代謝量を補正して算出し、犬の健康管理を行う犬用健康管理装置を提供することを目的とする。
【０００６】
【課題を解決するための手段】
上記課題を解決するために本発明は、犬の除脂肪データを入力する除脂肪データ入力手段と、犬の体温に関するデータを入力する体温関連データ入力手段と、前記体温に関するデータに基づく体温補正指数を導出する体温補正指数導出手段と、前記除脂肪データと前記体温補正指数とから犬の代謝量を算出する代謝量算出手段とを有する犬用健康管理装置を提供する。
【０００７】
前記除脂肪データは除脂肪量又は筋肉量である。
【０００８】
前記除脂肪データは体重値及び体脂肪データから導出される。
【０００９】
前記体温に関するデータは、犬種である。
【００１０】
前記体温に関するデータは、犬の体格である。
【００１１】
前記犬の体格は、体重値から推定される体格指数である。
【００１２】
前記代謝量算出手段は、犬の体毛データを入力する体毛データ入力手段を更に有し、前記体毛データを加味して犬の代謝量を算出する。
【００１３】
前記代謝量算出手段は、犬の年齢を入力する年齢入力手段を更に有し、前記年齢を加味して犬の代謝量を算出する。
【００１４】
前記代謝量算出手段は、犬の体脂肪率を入力し、前記体脂肪率に基づいた保温効果指数を導出する保温効果指数導出手段を更に有し、前記保温効果指数を加味して犬の代謝量を算出する。
【００１５】
前記代謝量算出手段は、基礎代謝量と安静時代謝量との内、少なくとも一方を算出する。
【００１６】
前記代謝量算出手段は、犬の活動データを入力する活動データ入力手段を備え、前記代謝量と前記活動データとから犬の総消費エネルギー量を算出する総消費エネルギー量算出手段を更に有する。
【００１７】
前記活動データは、犬の日常動作を複数段階に分別した活動指数である。
【００１８】
前記活動データは歩数計や加速度計等の運動モニタリング装置を用いて測定した運動データである。
【００１９】
前記総消費エネルギー量算出手段は、犬の肥満度に関するデータを入力する肥満関連データ入力手段と、減量目標値を設定する減量目標値設定手段とを更に備え、前記総消費エネルギー量、肥満度に関するデータ及び減量目標値とに基づいて、前記減量目標値に対する適正摂取エネルギー量又は適正消費エネルギー量の内少なくとも一方を算出する適正値算出手段を更に有する。
【００２０】
前記肥満度に関するデータは、犬の体重値及び体脂肪データである。
【００２１】
前記体脂肪データは、犬のインピーダンス値、ボディーコンディションスコア又は形態計測値の内、少なくとも１つを用いて算出される体脂肪量又は体脂肪率である。
【００２２】
前記減量目標値は、肥満度の一般的な標準値を自動で目標値として設定する。
【００２３】
前記減量目標値は測定者が手動で数値入力して設定する。
【００２４】
前記総消費エネルギー量算出手段は、環境温度を入力する環境温度入力手段を更に有し、前記環境温度を加味して総消費エネルギー量を算出する。
【００２５】
前記環境温度は、季節や月毎に予め設定されており、自動で入力される。
【００２６】
【発明の実施の形態】
本発明の犬用健康管理装置は、犬の除脂肪データを入力する除脂肪データ入力手段と、犬の体温に関するデータを入力する体温関連データ入力手段と、前記体温に関するデータに基づく体温補正指数を導出する体温補正指数導出手段と、前記除脂肪データと前記体温補正指数とから犬の代謝量を算出する代謝量算出手段とを有することから、犬の個体別の代謝量を算出することができる。
【００２７】
前記除脂肪データは除脂肪量又は筋肉量であり、体重値及び体脂肪データから導出しても良いことから、体重値だけではなく、熱生産を行う生体組織に基づく正確な代謝量を算出することができる。
【００２８】
前記体温に関するデータは、犬種又は犬の体格の内、少なくとも一方であることから、体温を測定することなく、犬の大きさに応じて簡便に体温補正が可能であり、精度の高い代謝量算出が可能である。
【００２９】
前記犬の体格は、体重値から推定される体格指数であることから、体重値により体格を分類することが可能であり、体格に基づく体温補正指数を簡便に算出可能である。
【００３０】
前記代謝量算出手段は、犬の体毛データを入力する体毛データ入力手段を更に有し、前記体毛データを加味して犬の代謝量を算出することにより、体毛による保温効果の影響を加味して、より精度の高い代謝量の算出が可能である。
【００３１】
前記代謝量算出手段は、犬の年齢を入力する年齢入力手段を更に有し、前記年齢を加味して犬の代謝量を算出することにより、子犬から成犬までより詳細に分別した代謝量の算出が可能である。
【００３２】
前記代謝量算出手段は、犬の体脂肪率を入力し、前記体脂肪率に基づいた保温効果指数を導出する保温効果指数導出手段を更に有し、前記保温効果指数を加味して犬の代謝量を算出することにより、体脂肪の断熱効果による体温への影響を加味した、より精度の高い代謝量の算出が可能である。
【００３３】
前記代謝量算出手段は、基礎代謝量と安静時代謝量との内、少なくとも一方を算出することから、必要に応じて何れのデータでも用いることが可能である。
【００３４】
前記代謝量算出手段は、犬の活動データを入力する活動データ入力手段を備え、前記代謝量と前記活動データとから犬の総消費エネルギー量を算出する総消費エネルギー量算出手段を更に有することから、個体別の総消費エネルギー量を算出することができる。
【００３５】
前記活動データは、犬の日常動作を複数段階に分別した活動指数であることから、犬の動作を選択するだけで簡便に総消費エネルギー量を算出することができる。
【００３６】
前記活動データは歩数計や加速度計等の運動モニタリング装置を用いて測定した運動データであることから、運動による消費エネルギー量を正確に算出することができる。
【００３７】
前記総消費エネルギー量算出手段は、犬の肥満度に関するデータを入力する肥満関連データ入力手段と、減量目標値を設定する減量目標値設定手段とを更に備え、前記総消費エネルギー量、肥満度に関するデータ及び減量目標値とに基づいて、前記減量目標値に対する適正摂取エネルギー量又は適正消費エネルギー量の内少なくとも一方を算出する適正値算出手段を更に有することから、適切な食餌量又は運動負荷による健康管理が可能である。
【００３８】
前記肥満度に関するデータは、犬の体重値及び体脂肪データであることから、数値により明確に犬の肥満度合いを表すことができ、前記減量目標値の設定が容易である。
【００３９】
前記体脂肪データは、犬のインピーダンス値、ボディーコンディションスコア又は形態計測値の内、少なくとも１つを用いて算出される体脂肪量又は体脂肪率であることから、何れも簡便に算出可能である。
【００４０】
前記減量目標値は、肥満度の一般的な標準値を自動で目標値として設定することにより、犬にとって負担の少ない減量を行うことができる。
【００４１】
前記減量目標値は測定者が手動で数値入力して設定することにより、犬の個体別に測定者が目標値を自由に設定することができる。
【００４２】
前記総消費エネルギー量算出手段は、環境温度を入力する環境温度入力手段を更に有し、前記環境温度を加味して総消費エネルギー量を算出することにより、寒暖による消費エネルギー量の変動を補正することができる。
【００４３】
前記環境温度は、季節や月毎に予め設定されており、自動で入力されることにより、簡便に環境温度の補正をすることができる。
【００４４】
【実施例】
本発明の実施例は、犬の体温に影響を与える犬の体格を犬種により複数に分類し、各々体温を補正する補正指数を設定し、これを体温の補正項として加えた、犬の除脂肪量に基づく安静時代謝量を算出する。更にこの安静時代謝量と犬の活動データとから消費エネルギー量を算出し、犬の肥満度合いを加味して適正摂取エネルギー量を算出することにより、個体別の健康管理を行うものである。
【００４５】
本実施例の構成を図１及び図２を用いて説明する。
【００４６】
図１は犬用健康管理装置１の外観図であり、入力データや各演算結果等を表示する表示部２、データの選択や数値入力を行う操作部３及び電源のオンオフを切り換える電源スイッチとから構成する。
【００４７】
図２は犬用健康管理装置１の機能構成ブロック図である。表示部２及び操作部３が制御部６に接続されており、また、安静時代謝量、消費及び摂取エネルギー量を演算する演算式、及び入力されたデータ等を記憶しておくメモリ部７と、入力されたデータから除脂肪量の算出及び肥満度を判定する生体情報処理部８とが制御部６に接続されている。更に、入力されたデータから犬の安静時代謝量を算出する第１演算部９と、前記安静時代謝量と犬の活動データとから消費エネルギー量を算出する第２演算部１０と、前記消費エネルギー量を用いて、減量目標値に対する適正摂取エネルギー量や適正食餌量、又は減量に必要な消費エネルギー量や運動データを算出する第３演算部１１とが制御部８に接続して構成されている。制御部８は更に本犬用健康管理装置１に電力を供給する電源５を接続して構成する。
【００４８】
次に図３乃至１１を用いて本実施例の犬用健康管理装置の動作を詳述する。図３は本実施例の動作を示すフローチャートであり、図４、５、７、９、１０及び１１は各動作時の表示の一例であり、図６は犬種に基づく体温補正指数を示す分類表であり、図８は犬の活動強度指数を示す表である。
【００４９】
まず図３フローチャートにおいて、図１に示した電源スイッチ４により電源オンすると、ステップＳ１において初期設定がなされ、続くステップＳ２において、図４に示すように表示部２に体重値と体脂肪率の入力項目を表示すると共に、これら生体情報の入力を指示するメッセージを表示する。測定者は前記メッセージに従い操作部３を操作し、予め測定機器により測定した体重値及び体脂肪率の数値を順に入力し、各々決定キーにより数値を確定し、メモリ部７に記憶する。
【００５０】
ここで、前記測定機器は例えば、犬の胸部から腹部を載置することにより四肢が地面に接触しない様に保持して体重を測定すると共に、犬の四肢の付け根に各々インピーダンス測定電極を接触させ、前後脚付け根間のインピーダンス値と電極間距離とを測定し、人間の体脂肪率算出と同様に、前記体重、インピーダンス値及び電極間距離とから、犬の体幹部を形態モデル化することにより体脂肪率を算出するものである。
【００５１】
ステップＳ３において、予めメモリ部７に記憶してある公知の犬の肥満判定基準であるボディーコンディションスコア（以下ＢＣＳと言う）を制御部６により呼び出し、生体情報処理部８において、前記入力した体脂肪率に対応するＢＣＳのスコア範囲を導出し肥満度を判定し、メモリ部７に記憶する。また、ステップＳ４において、体重値及び体脂肪率から除脂肪量を算出する。すなわち、生体情報処理部８において、まず、体脂肪量（ｋｇ）＝体重値（ｋｇ）×体脂肪率（％）を算出し、続いて、除脂肪量（ｋｇ）＝体重値（ｋｇ）−体脂肪量（ｋｇ）より除脂肪量を算出し、各々メモリ部７に記憶する。
【００５２】
ステップＳ５において、メモリ部７に予め記憶させてある複数の犬種情報を制御部６により呼び出し、図５に示すように表示部２に犬種一覧を表示すると共に、犬種の選択及び入力を指示するメッセージを表示する。測定者は前記メッセージに従い、操作部３を用いて被検体である犬の種類を選択及び入力する。ステップＳ６において、例えば図６の犬種に基づく体温補正指数として示したように、前記選択した犬種に対応する体温補正指数をメモリ部７より自動で呼び出す。
【００５３】
この体温補正指数は、犬種により異なる体温を犬種毎に補正するための指数であり、体温に影響を与える犬の体格と、保温効果を示す体毛レベルによって予め設定されたものである。すなわち、体温は体格に対応しており、小型犬は体温が比較的高く大型になるほど低くなるとされていることから、犬種毎の平均体重値を比較して体格により分別する。例えば、平均体重が最軽量のチワワを基準とし、各犬種の平均体重をチワワの平均体重で除した値により分別され、同種のオスとメスで平均体重が異なる場合には各々分別する。また同じ犬種であっても長毛種ほど体温保持効果が高いことから、体毛種により分別する。この分別を犬種毎に指数化したものが体温補正指数である。
【００５４】
続くステップＳ７において、予め設定してある安静時代謝量算出式をメモリ部７より呼び出す。この安静時代謝量算出式は、犬の安静時の呼気分析により得られた安静時代謝量と前記除脂肪量と体温補正指数との重相関より得られる回帰式であり、例えば、安静時代謝量（ｋｃａｌ）＝ａ＋ｂ×除脂肪量（ｋｇ）＋ｃ×犬種に基づく体温補正指数、により表される。ここで前記ａ、ｂ及びｃは定数である。第１演算部９において、前記算出した除脂肪量と、前記入力した犬種に基づいて設定された体温補正指数とを、前記安静時代謝量算出式に代入して安静時代謝量を算出する。
【００５５】
ステップＳ８において、予め複数段階に設定してある活動データをメモリ部７より呼び出すと共に、図７に示すように表示し、活動データの選択及び入力を指示するメッセージを表示部２に表示する。測定者は前記メッセージに従い、操作部３を用いて活動データを選択し入力する。この活動データは図８に示すように犬の日常生活の動作を複数段階に分類した活動指数であり、ここでは「安静」から「激しい運動」までの４段階の日常動作に対し各々安静時代謝量の倍数として指数を設定したものである。
【００５６】
ステップＳ９において、予め設定してある消費エネルギー量算出式をメモリ部７より呼び出し、第２演算部１０において、前記算出した安静時代謝量と前記入力した活動データとを代入して消費エネルギー量を算出する。前記消費エネルギー量算出式は例えば、消費エネルギー量（ｋｃａｌ）＝安静時代謝量（ｋｃａｌ）×活動データ、で表される。
【００５７】
ステップＳ１０において、前記体重値、体脂肪率、体脂肪量、除脂肪量、肥満度、犬種、安静時代謝量及び消費エネルギー量を表示部２に結果表示する。
【００５８】
ステップＳ１１において、前記結果表示と共に、図９に示すように減量目標値とする目標体脂肪率を設定するよう指示するメッセージを表示する。測定者は指示に従い操作部３より目標とする体脂肪率を数値入力して設定すると、第３演算部１１において、この目標体脂肪率と現在の体重値とから自動的に目標体脂肪量が算出され、メモリ部７に記憶される。
【００５９】
続くステップＳ１２において余剰体脂肪量を算出する。余剰体脂肪量とは現在の体脂肪量と前記目標体脂肪量との差であり、体脂肪量の減量分を表す。続くステップＳ１３において、前記余剰体脂肪量に蓄積されているエネルギー量を第３演算部１１において算出する。一般に体脂肪量１（ｇ）に対して蓄積されるエネルギー量は７．２（ｋｃａｌ）とされていることから、余剰貯蓄エネルギー量は次式により表される。すなわち、余剰貯蓄エネルギー量（ｋｃａｌ）＝余剰体脂肪量（ｇ）×７．２（ｋｃａｌ／ｇ）である。
【００６０】
ステップＳ１４において、前記余剰貯蓄エネルギー量を減少させるために、１日当たりの目標減量エネルギー量を第３演算部１１において算出する。まず、減量に関しては１カ月に体重の５％以内の減量が好ましいとされていることから、１ヶ月に体重の５％の減量を目標とすると、１日当たりの目標減量値は次式で表される。すなわち、１日当たり目標減量値（ｇ／日）＝体重値（ｇ）×（５／１００）／３０である。この目標減量値分の体脂肪量を減らすために、１日当たりの目標減量エネルギー量は次式で表される。すなわち、１日当たり目標減量エネルギー量（ｋｃａｌ／日）＝１日当たり目標減量値（ｇ／日）×７．２（ｋｃａｌ／ｇ）である。
【００６１】
ここで、前記１日当たり目標減量エネルギー量によって、前記目標体脂肪量に達するまでの日数を算出する。すなわち、目標日数（日）＝余剰貯蓄エネルギー量（ｋｃａｌ）／１日当たり目標減量エネルギー量（ｋｃａｌ／日）である。
【００６２】
ステップＳ１５において、１日当たり目標減量エネルギー量（ｋｃａｌ）＝摂取エネルギー量（ｋｃａｌ）−消費エネルギー量（ｋｃａｌ）、となるように次の減量プログラムを選択する。本実施例においては減量プログラムを２種類とし、食餌制限による摂取エネルギー量を減少させるプログラムと、運動量を増加させることにより消費エネルギー量を増加させるプログラムとを選択可能とする。表示部２に表示された両プログラムを操作部３を用いて何れかを選択する。
【００６３】
摂取エネルギー量を減少させるプログラムを選択すると、ステップＳ１６において、まず前記ステップＳ１０において算出した消費エネルギー量をメモリ部７より呼び出し、この消費エネルギー量と前記１日当たり目標減量エネルギー量とから、次式より摂取エネルギー量を第３演算部１１において算出する。すなわち、摂取エネルギー量（ｋｃａｌ）＝消費エネルギー量（ｋｃａｌ）−１日当たり目標減量エネルギー量（ｋｃａｌ）より算出され、ステップＳ１８において前記目標日数と共に結果表示される。またこの時、算出した摂取エネルギー量に相当する具体的なペットフードの量を、例えば、缶詰１缶等として表示する。
【００６４】
また、消費エネルギー量を増加させるプログラムを選択すると、ステップＳ１７において、実際に１日に食べた餌量を入力するよう指示するメッセージを表示部２に表示し、測定者は操作部３を操作して食餌の摂取エネルギー量を入力すると、この摂取エネルギー量と前記１日当たり目標減量エネルギー量とから、次式より消費エネルギー量を第３演算部において算出する。すなわち、消費エネルギー量（ｋｃａｌ）＝摂取エネルギー量（ｋｃａｌ）−１日当たり目標減量エネルギー量（ｋｃａｌ）より算出され、ステップＳ１８において前記目標日数と共に結果表示される。またこの時、算出した消費エネルギー量に相当する具体的な運動データを、予め設定してある消費エネルギー量と運動データとの関係から、例えば、散歩３０分間等として表示する。
【００６５】
ステップＳ１８において、前記プログラムを操作部３を用いて切り替え再度選択されたかどうか制御部５において判断される。指定ボタンを押して前記プログラムが切り替えられた場合、再びステップＳ１５に進み、前述の各プログラムに進む。また、プログラムの切り替えが行われない場合ＮＯに進み、電源４をオフして終了する。
【００６６】
なお、犬種による体温補正指数に代えて、例えば図１０に示すように、入力した犬の体重値に基づく体格から導出した体温補正指数を用いても良く、これに加えて体温に影響を及ぼす体毛量又は長毛種や短毛種等の体毛種別を入力し、前述と同様に予め犬の安静時の呼気分析により導出した安静時代謝量と、前記体重値に基づく体温補正指数と体毛量又は体毛種別との重相関から得られる回帰式を用いて、第１演算部９において安静時代謝量を算出することもできる。前記回帰式は例えば、安静時代謝量（ｋｃａｌ）＝ｄ＋ｅ×除脂肪量（ｋｇ）＋ｆ×体重値に基づく体温補正指数＋ｇ×体毛量、と表される。ここで、ｄ、ｅ、ｆ及びｇは定数である。
【００６７】
これにより、雑種等の種類の特定が難しい犬の場合にも対応可能である。更に、前記犬種に基づく体温補正指数に、この体重値に基づく体温補正指数を加味して安静時代謝量を算出することにより、同じ犬種であっても明らかに体格の異なる子犬と成犬との区別等が可能であり、安静時代謝量の精度を上げることができる。
【００６８】
また、犬の年齢又は月齢を入力することにより、犬種による分別に加えて子犬から成犬まで、より詳細に分別することができ、この年齢または月齢を加味することにより更に精度の高い安静時代謝量を求めることもできる。
【００６９】
また、除脂肪データとして体重値と体脂肪率とから除脂肪量を算出したものを用いたが、熱生産を行う生体組織は筋肉であることから前記除脂肪量に代えて、筋肉量を用いることにより、より精度の高い安静時代謝量の算出が可能である。
【００７０】
また、図３のステップＳ２において、体重値及び体脂肪率は、前述したような測定機器により予め測定したデータを操作部３により手動で数値入力したものであるが、前記測定機器を本犬用健康管理装置に接続し、データを直接送信して入力しても良い。また、前述のような、インピーダンス法により体脂肪率を算出する測定機器を用いなくとも、例えばＢＣＳによる肥満判定からの体脂肪率推定値を用いても良いし、犬の胴回りや体長等の形態計測値と体脂肪率との相関から得られる回帰式を用いて推定した体脂肪率であっても良い。
【００７１】
また、前記体脂肪率は体内からの放熱を抑制し、体内へ蓄熱する断熱効果作用を示す値でもあることから、前述と同様に予め安静時の犬の呼気分析により導出した安静時代謝量と、前記犬種に基づく体温補正指数と前記体脂肪率との重相関から得られる回帰式を用いて、第１演算部９において安静時代謝量を算出することもできる。これにより、肥満度合いを考慮した安静時代謝量を算出することができる。前記回帰式は例えば、安静時代謝量（ｋｃａｌ）＝ｈ＋ｉ×除脂肪量（ｋｇ）＋ｊ×犬種に基づく体温補正指数＋ｋ×体脂肪率（％）と表される。ここで、ｈ、ｉ、ｊ及びｋは定数である。
【００７２】
また、図３のステップＳ７においては、第１演算部９において安静時代謝量を算出したが、基礎代謝量を算出しても良い。例えば麻酔により一旦犬を眠らせた後、覚醒した状態からある一定時間の呼気分析データと、前記除脂肪量と犬種に基づく体温補正指数との相関関係より得られる回帰式を求め、この回帰式を予めメモリ部７に基礎代謝量算出式として設定することにより基礎代謝量を求めることも可能である。
【００７３】
また、ステップＳ８の活動データ入力において、犬の日常動作を複数段階に分類した活動指数を選択し入力したが、例えば歩数計や加速度計等の犬の運動を測定する運動モニタリング装置を用いて運動量を算出し、活動データとして手動で数値入力又は前記運動モニタリング装置を本犬用健康管理装置に接続し、データを直接送信して入力しても良く、第２演算部１０において運動による消費エネルギー量を求めることもできる。
【００７４】
また、図３ステップＳ９において、第２演算部１０により安静時代謝量と活動データとから消費エネルギー量を算出したが、環境温度によってもエネルギーは消費されることから、環境温度を入力し、消費エネルギー量算出式において環境温度による補正項を加えることにより、より正確な消費エネルギー量が算出される。前記消費エネルギー量算出式は例えば、消費エネルギー量（ｋｃａｌ）＝安静時代謝量（ｋｃａｌ）×活動データ×ｔ×（常温−環境温度）２として表される。ここでｔは定数である。更に環境温度は、予め季節や月毎に設定しておき、消費エネルギー算出時に自動で設定される補正項としても良い。
【００７５】
また、図３ステップＳ１１において、目標体脂肪率を測定者が操作部３により数値入力して設定したが、体脂肪率の標準値や適正値を目標値として自動設定されても良い。例えば、ＢＣＳの理想体型の範囲においては、体脂肪率１５〜２４％とされていることから、目標体脂肪率を２４％とし、この時の体脂肪量を目標体脂肪量として自動で設定しても良い。
【００７６】
更に、図３ステップＳ１５からＳ１８において、減量プログラムを選択し、摂取エネルギー量を減少させるプログラムと、消費エネルギー量を増加させるプログラムとの内何れか一方を選択したが、予め両プログラムにかかる比率を決めておくことで運動と食餌の両方によるバランスのとれた減量が可能である。
【００７７】
【発明の効果】
本発明の犬用健康管理装置は、犬の除脂肪データを入力する除脂肪データ入力手段と、犬の体温に関するデータを入力する体温関連データ入力手段と、前記体温に関するデータに基づく体温補正指数を導出する体温補正指数導出手段と、前記除脂肪データと前記体温補正指数とから犬の代謝量を算出する代謝量算出手段とを有することから、犬の個体別の代謝量を算出することができる。
【００７８】
前記除脂肪データは除脂肪量又は筋肉量であり、体重値及び体脂肪データから導出しても良いことから、体重値だけではなく、熱生産を行う生体組織に基づく正確な代謝量を算出することができる。
【００７９】
前記体温に関するデータは、犬種又は犬の体格の内、少なくとも一方であることから、体温を測定することなく、犬の大きさに応じて簡便に体温補正が可能であり、精度の高い代謝量算出が可能である。
【００８０】
前記犬の体格は、体重値から推定される体格指数であることから、体重値により体格を分類することが可能であり、体格に基づく体温補正指数を簡便に算出可能である。
【００８１】
前記代謝量算出手段は、犬の体毛データを入力する体毛データ入力手段を更に有し、前記体毛データを加味して犬の代謝量を算出することにより、体毛による保温効果の影響を加味して、より精度の高い代謝量の算出が可能である。
【００８２】
前記代謝量算出手段は、犬の年齢を入力する年齢入力手段を更に有し、前記年齢を加味して犬の代謝量を算出することにより、子犬から成犬までより詳細に分別した代謝量の算出が可能である。
【００８３】
前記代謝量算出手段は、犬の体脂肪率を入力し、前記体脂肪率に基づいた保温効果指数を導出する保温効果指数導出手段を更に有し、前記保温効果指数を加味して犬の代謝量を算出することにより、体脂肪の断熱効果による体温への影響を加味した、より精度の高い代謝量の算出が可能である。
【００８４】
前記代謝量算出手段は、基礎代謝量と安静時代謝量との内、少なくとも一方を算出することから、必要に応じて何れのデータでも用いることが可能である。
【００８５】
前記代謝量算出手段は、犬の活動データを入力する活動データ入力手段を備え、前記代謝量と前記活動データとから犬の総消費エネルギー量を算出する総消費エネルギー量算出手段を更に有することから、個体別の総消費エネルギー量を算出することができる。
【００８６】
前記活動データは、犬の日常動作を複数段階に分別した活動指数であることから、犬の動作を選択するだけで簡便に総消費エネルギー量を算出することができる。
【００８７】
前記活動データは歩数計や加速度計等の運動モニタリング装置を用いて測定した運動データであることから、運動による消費エネルギー量を正確に算出することができる。
【００８８】
前記総消費エネルギー量算出手段は、犬の肥満度に関するデータを入力する肥満関連データ入力手段と、減量目標値を設定する減量目標値設定手段とを更に備え、前記総消費エネルギー量、肥満度に関するデータ及び減量目標値とに基づいて、前記減量目標値に対する適正摂取エネルギー量又は適正消費エネルギー量の内少なくとも一方を算出する適正値算出手段を更に有することから、適切な食餌量又は運動負荷による健康管理が可能である。
【００８９】
前記肥満度に関するデータは、犬の体重値及び体脂肪データであることから、数値により明確に犬の肥満度合いを表すことができ、前記減量目標値の設定が容易である。
【００９０】
前記体脂肪データは、犬のインピーダンス値、ボディーコンディションスコア又は形態計測値の内、少なくとも１つを用いて算出される体脂肪量又は体脂肪率であることから、何れも簡便に算出可能である。
【００９１】
前記減量目標値は、肥満度の一般的な標準値を自動で目標値として設定することにより、犬にとって負担の少ない減量を行うことができる。
【００９２】
前記減量目標値は測定者が手動で数値入力して設定することにより、犬の個体別に測定者が目標値を自由に設定することができる。
【００９３】
前記総消費エネルギー量算出手段は、環境温度を入力する環境温度入力手段を更に有し、前記環境温度を加味して総消費エネルギー量を算出することにより、寒暖による消費エネルギー量の変動を補正することができる。
【００９４】
前記環境温度は、季節や月毎に予め設定されており、自動で入力されることにより、簡便に環境温度の補正をすることができる。
【図面の簡単な説明】
【図１】本実施例の外観図である。
【図２】本実施例の機能構成ブロック図である。
【図３】本実施例の動作を示すフローチャートである。
【図４】本実施例における表示の一例である。
【図５】本実施例における表示の一例である。
【図６】犬種に基づく体温補正指数を示す分類表である。
【図７】本実施例における表示の一例である。
【図８】犬の活動強度指数を示す表である。
【図９】本実施例における表示の一例である。
【図１０】犬の体重値に基づく体温補正指数を示す分類表である。
【符号の説明】
１    犬用健康管理装置
２    表示部
３    操作部
４    電源スイッチ
５    電源
６    制御部
７    メモリ部
８    生体情報処理部
９    第１演算部
１０  第２演算部
１１  第３演算部
【図１】
2005000074.tif 000003
【図２】
2005000074.tif 000004
【図３】
2005000074.tif 000005
【図４】
2005000074.tif 000006
【図５】
2005000074.tif 000007
【図６】
2005000074.tif 000008
【図７】
2005000074.tif 000009
【図８】
2005000074.tif 000010
【図９】
2005000074.tif 000011
【図１０】
2005000074.tif 000012